(57)【要約】【課題】シンボルごとに周波数ホッピングするＯＦＤＭ信号の、シンボル間遷移によるスペクトル広がりをより簡易な手段で緩和する。【解決手段】周波数ホッピング用のローカル信号を生成する際のセレクタ（４）の選択波形をなだらかな包絡線の立ち下がり、立ち上がりを有する形に決定する波形制御器（１４）をセレクタに備える。セレクタの選択波形に手を加えただけで、スプリアスの小さいＯＦＤＭ信号が得られ、簡易な構成でスペクトル広がりを緩和することが可能となる。【選択図】  図１
2005286509.tif 000002
【特許請求の範囲】
【請求項１】
ローカル信号で周波数ホッピングを行うＯＦＤＭ送信機において、
送信すべき情報信号を逆フーリエ変換し、デジタル／アナログ変換器にてＯＦＤＭシンボルを生成するＯＦＤＭ変調器と、
複数のローカル信号を生成する系を有するローカル信号発生器と、
前記複数のローカル信号が入力され、一つのローカル信号を選択出力するセレクタと、
前記ローカル信号またはこのローカル信号を周波数変換した信号で前記ＯＦＤＭシンボルをアップコンバートするアップコンバータと、
前記アップコンバータでアップコンバートされたＯＦＤＭシンボルのスプリアスを抑圧するように前記セレクタから出力されるローカル信号の包絡線の立ち上がりおよび立ち下がりの形状を制御する波形制御器と、
アップコンバートされたＯＦＤＭシンボルを送信する送信部と
を備えたことを特徴とするＯＦＤＭ送信機。
【請求項２】
前記波形制御器は、前記ローカル信号の包絡線の立ち上がりおよび立ち下がりが放物線状となるように形状を制御することを特徴とする請求項１に記載のＯＦＤＭ送信機。
【請求項３】
ローカル信号で周波数ホッピングを行うＯＦＤＭ送信機において、
送信すべき情報信号を逆フーリエ変換し、デジアル／アナログ変換器にてＯＦＤＭシンボルを生成するＯＦＤＭ変調器と、
複数のローカル信号を生成する系を有するローカル信号発生器と、
前記複数のローカル信号に対応する複数のスイッチと、
前記スイッチの出力を加算する加算器と、
前記加算器出力であるローカル信号またはこのローカル信号を周波数変換した信号で前記ＯＦＤＭシンボルをアップコンバートするアップコンバータと、
前記スイッチ内に設けられ、前記アップコンバータでアップコンバートされたＯＦＤＭシンボルのスプリアスが抑圧されるように前記スイッチから出力されるローカル信号の包絡線の立ち上がりおよび立ち下がりの形状を制御する波形制御器と、
前記アップコンバータでアップコンバートされたＯＦＤＭシンボルを送信する送信部と
を備えたことを特徴とするＯＦＤＭ送信機。
【請求項４】
前記スイッチのスイッチング波形は、前記スイッチから出力されるローカル信号の包絡線の立ち上がりおよび立ち下がりが放物線状となるように制御されることを特徴とする請求項２に記載のＯＦＤＭ送信機。
【発明の詳細な説明】
【技術分野】
【０００１】
本発明は、高速周波数ホッピングを行うＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ）送信機に関する。
【背景技術】
【０００２】
情報化社会の発展により、身近な場面で使用出来る通信手段が飛躍的に増加しており、その通信速度の増加も著しい。通信速度を増加させるために、その伝送媒体ではそれまで使用されていなかった帯域を使用する例も多い。例えば無線通信においては、現在は特定の帯域を特定の用途に限定して使用するよう法律で定めているが、いくつかの帯域は複数の用途に免許不要で開放しているし、将来的には、非常に広い帯域を小電力近距離通信に限定して、他の用途と重ねるように開放する可能性がある。このような場合、ある通信が他の用途の無線に対して干渉波となる可能性が高い。
【０００３】
このように、通信容量の増大に伴い、様々な干渉が発生する可能性が高くなっている。干渉を受ける側（被干渉側）の干渉に対する性能は様々で、少々の干渉ならば問題無いことが多いが、例えば電波天文のように、ほんの少しの干渉でも多大な影響を被るものもある。そのような感度の高い用途に対しては、その周波数には干渉波を出さないようにするなどの配慮が必要である。
【０００４】
ＯＦＤＭ変調方式は、無線ＬＡＮやｘＤＳＬ等、種々の通信で使用されている重要な変調方式であり、周波数利用効率が高く、コンパクトなスペクトルを有するという特徴を持っている。
【０００５】
ＯＦＤＭでは高速逆フーリエ変換（ＩＦＦＴ）されたされた一塊りの時間信号であるシンボルが送信されるが、当然のことながらシンボル毎にそれぞれのトーンに乗せられるデータは異なる。ＩＦＦＴという手法を使用するため、各トーンのシンボル間の波形を連続的に遷移させることが難しい。したがって、隣接するシンボルの時間波形を単純につなぎ合わせて出力すると、各トーンのシンボル間の遷移が不連続となり不連続な位相変調が掛かって、各トーンのスペクトルの裾野が広がってしまう。
【０００６】
ＯＦＤＭでは特定のトーンを使用しないことによって、特定の周波数が他の無線に干渉しないようにすることができるが、このようなスペクトルの広がりがあると、隣接するトーンからの広がりが漏れ込むため干渉の抑圧度が劣化する。また、ＯＦＤＭ信号の帯域外のスプリアスも増加する。
【０００７】
ＩＥＥＥ８０２．１１ａで規定されている無線ＬＡＮにもＯＦＤＭ通信方式が使用されているが、ここでは各シンボルの時間波形の両端をなだらかに整形する方法が開示されている。
【０００８】
一方、ＩＥＥＥ８０２．１５．３ａで標準化作業が進んでいる高速パーソナルエリア無線ネットワークでもＯＦＤＭ通信方式が候補に上げられている。ここで検討されている方法は、単なるＯＦＤＭではなく、シンボル毎に周波数ホッピングする高速周波数ホッピングＯＦＤＭ方式である。不連続な位相変調に加えて、矩形波状の振幅変調が掛かっているため、８０２．１１ａの場合と同様にスペクトルの広がりを緩和する必要がある。
【０００９】
通常の周波数ホッピングでは、そのローカル発生器は周波数シンセサイザそのものがホップするか、周波数シンセサイザに接続されたＰＬＬ（位相同期ループ）周波数変換回路によって周波数をホップさせていた。しかし、ＯＦＤＭのシンボル毎に周波数ホッピングし、かつ、そのシンボルレートが非常に速い高速周波数ホッピングＯＦＤＭにおいては、従来のローカル発生法では周波数ホッピングの速さに対応できないため、異なる方法が採用されると考えられている（例えば非特許文献１参照）。
【非特許文献１】ＩＥＥＥ  ８０２．１５．３ａ  提案文書  ０３／２６７ｒ５
【発明の開示】
【発明が解決しようとする課題】
【００１０】
上述のように、高速周波数ホッピングを行うＯＦＤＭ通信では、シンボル毎にその周波数が変化するため、不連続な位相変調に加えて、矩形波状の振幅変調も掛かかってしまい、スペクトルの広がりを緩和する必要がある。
【００１１】
本発明は、高速周波数ホッピングを行うＯＦＤＭ通信において、より簡単にスペクトル広がりを緩和する手段を提供することを目的とする。
【課題を解決するための手段】
【００１２】
本願発明は、このような課題を解決するために、第１の観点によると、ローカル信号で周波数ホッピングを行うＯＦＤＭ送信機において、送信すべき情報信号を逆フーリエ変換し、デジタル／アナログ変換器にてＯＦＤＭシンボルを生成するＯＦＤＭ変調器と、複数のローカル信号を生成する系を有するローカル信号発生器と、前記複数のローカル信号が入力され、一つのローカル信号を選択出力するセレクタと、前記ローカル信号またはこのローカル信号を周波数変換した信号で前記ＯＦＤＭシンボルをアップコンバートするアップコンバータと、前記アップコンバータでアップコンバートされたＯＦＤＭシンボルのスプリアスを抑圧するように前記セレクタから出力されるローカル信号の包絡線の立ち上がりおよび立ち下がりの形状を制御する波形制御器と、アップコンバートされたＯＦＤＭシンボルを送信する送信部とを備えている。
【００１３】
本発明の第２の観点によると、ローカル信号で周波数ホッピングを行うＯＦＤＭ送信機において、送信すべき情報信号を逆フーリエ変換し、デジアル／アナログ変換器にてＯＦＤＭシンボルを生成するＯＦＤＭ変調器と、複数のローカル信号を生成する系を有するローカル信号発生器と、前記複数のローカル信号に対応する複数のスイッチと、前記スイッチの出力を加算する加算器と、前記加算器出力であるローカル信号またはこのローカル信号を周波数変換した信号で前記ＯＦＤＭシンボルをアップコンバートするアップコンバータと、前記スイッチ内に設けられ、前記アップコンバータでアップコンバートされたＯＦＤＭシンボルのスプリアスが抑圧されるように前記スイッチから出力されるローカル信号の包絡線の立ち上がりおよび立ち下がりの形状を制御する波形制御器と、前記アップコンバータでアップコンバートされたＯＦＤＭシンボルを送信する送信部とを備えたことを特徴とする。
【発明の効果】
【００１４】
本発明によれば、簡易な構成でスペクトル広がりを緩和することが可能となる。
【発明を実施するための最良の形態】
【００１５】
以下、本発明の実施形態を図面を参照して説明する。
【実施例】
【００１６】
図１は、本実施形態に係るＯＦＤＭ送信機の構成を示すブロック図である。
【００１７】
図１において、周波数シンセサイザ１は、複数のローカル信号発生系３−ｘ（ｘ＝１〜４）より成るローカル信号発生器２に周波数信号を供給する信号源である。セレクタ４は、複数のローカル信号発生系３−ｘ（ｘ＝１〜４）から発生するローカル信号のうち一つのローカル信号を選択する。周波数変換器５は、周波数シンセサイザ１の出力とセレクタ４の出力をミキシングしアップコンバーター１２へ供給する。
【００１８】
ＯＦＤＭ変調器６は、通常のＯＦＤＭ送信機に用いられる構成と同じであり、エンコーダ８、マッピング部９、ＩＦＦＴ部（逆高速フーリエ変換部）９、Ｄ／Ａコンバータ（デジタルアナログ変換部）１１より成る。ＯＦＤＭ変調器６の出力は、周波数変換器５から供給されるローカル信号でシンボル毎に高速に周波数ホッピングされて、増幅器などを含むアナログフロントエンド部、アンテナ部（図示せず）に送られ無線信号として送出される。
【００１９】
以下にＯＦＤＭ送信機の動作を詳細に説明する。データ入力７から入力された送信すべきデータは、エンコーダ８にて誤り訂正符号付加、インターリービングなど適切な符号処理がなされる。符号化されたデータはマッピング部９にて、そのＯＦＤＭ方式の各トーンの変調方式（ＱＰＳＫ等）の座標にマッピングされる。マッピングされたデータはＩＦＦＴ（逆高速フーリエ変換）部９にて時間波形に変換され、Ｄ／Ａコンバータ１１で実信号に変換されてアップコンバータ１２に出力される。
【００２０】
一方、ローカル信号は以下のように生成される。まず、周波数シンセサイザ１から基準となる周波数の正弦波が出力される。これがローカル信号発生器２に入力されて、周波数ホッピングの各周波数に対応する中間周波数が生成される。ローカル信号発生器２内では、周波数シンセサイザ１からの入力がホッピング周波数の個数に分岐されて（図では４系統に分岐されて）、ローカル信号生成系３−ｘ（ｘ＝１〜４）で異なる中間周波数が生成される。これら出力の内の一つがセレクタ４で選択されるが、セレクタ４には波形制御器１４が内蔵されている。
【００２１】
波形制御器１４はセレクタ４が複数の入力の一つを選択し、出力する際の出力波形の包絡線を決定制御する。波形制御器１４はセレクタ４の出力波形の立ち上がり立ち下がりを所望のなだらかな形状に決定する。波形制御器が無いと、セレクタは図３の破線で示したような急激な立ち上がり、立ち下がりとそれに伴うスパイクを持ったような不安定な包絡線の波形を出力するが、波形制御器を用いることによって、実線のような所望のなだらかな立ち上がり、立ち下がりにすることが可能である。波形制御器の詳細については後述する。
【００２２】
図２は波形制御器付きセレクタ４の動作を説明するための図である。図中、周波数１，周波数２，周波数３，周波数４はそれぞれローカル信号生成系３−１，３−２，３−３，３−４で生成されるローカル中間周波数である。太線で重ねた波形は、波形制御器１４で制御されたセレクタ４が選択するときの出力波形包絡線を示す。それぞれの周波数を太線のように切り取って行くことにより、セレクタ４から出力される波形は、図の最下段のようになだらかな立ち上がり、立ち下がりの包絡線を有する周波数ホッピングローカル信号となる。なお、セレクタ４の切り換えタイミングは、ＯＦＤＭ送信機を内部に持つ通信端末内のタイミング制御部(図示せず)側から指示されている。具体的には、周波数ホッピングにおける各シンボルの周波数や周波数切り替えのタイミングは、その通信端末が属する無線ネットワークで同期させる必要がある。通信端末内の受信機で受信した無線ネットワーク内の他の端末の信号に同期したタイミングをタイミング制御部で生成し、セレクタ4に供給する。
【００２３】
セレクタ４の出力は、周波数シンセサイザ１の出力で周波数変換器５によって周波数変換され、最終的なＲＦ信号の周波数に変換される。周波数変換器５の出力は、ＯＦＤＭ変調器６によって生成されたベースバンドシンボルを、アップコンバータ１２によってＲＦ帯にアップコンバートする。これが適宜、フィルタ、パワーアンプなどを含むアナログフロントエンド部、アンテナ部（図示せず）を介して送信機から出力される。
【００２４】
このようにすると、セレクタの選択波形を制御するだけの簡易な構成で、スプリアスの小さい立ち上がり、立ち下がりが実現できる。
【００２５】
次に、立ち上がり、立ち下がりの包絡線は具体的にはどのような形状が望ましいかについて述べる。一般的に、ゆっくりとなだらかに立ち上がる（または立ち下がる）波形は、大抵、そのスペクトルはコンパクトになる。立ち上がりの部分は、通常、ＯＦＤＭシンボルの前に付与されるサイクリックプリフィックスと呼ばれる一種のプリアンブルの部分になるため、多少、形が変わってもデータの変調精度には影響を与えない。しかし、立ち下がりの部分はシンボル本体の最後の部分にあたるため、いくらかの変調精度への影響は避けられない。したがってできるだけスペクトル広がりが小さく、かつ変調精度の劣化が小さい波形が望まれる。このような波形の代表的なものとして、ルートコサインロールオフ波形（ＲＣＲＯ）がある。
【００２６】
ルートコサインロールオフ波形（ＲＣＲＯ）は、正弦波の平方根をとった波形であり、具体的には図４の実線で示したような形状である。図４はサイクリックプリフィックスまで含めたＯＦＤＭシンボルに、なだらかな立ち下がり、立ち上がりを加えたときの包絡線の形状を示している。横軸はＩＦＦＴの時間サンプル数であって時間に対応し、縦軸は最大値を１で正規化した振幅絶対値である。０から徐々にＲＣＲＯ波形で立ち上がり、立ち上がった後は振幅１がしばらく続き、立ち下がり部は再びＲＣＲＯ波形で立ち下がる。
【００２７】
このような包絡線波形のスペクトルは図５の実線の様である。横軸はＯＦＤＭのトーン間隔周波数を１とした周波数で、縦軸は周波数１のパワーを１とした正規化パワーである。
【００２８】
図６はＯＦＤＭの各トーンをＱＰＳＫで変調し、そのシンボルに図４のような包絡線を与え、４ビット量子化した場合の、Ｄ／Ａ変換後の各トーンの変調位相を示している。ＱＰＳＫであるため、本来π／２の整数倍の線にぴったり合うはずであるが、立ち上がり、立ち下がりになだらかな包絡線を与えたためと、量子化時の量子化雑音によって、若干ずれている。図６において、○印がＲＣＲＯ波形の場合の位相である。
【００２９】
ＲＣＲＯ波形は優れた波形であり、本願発明においてもこれを適用してもよいが、より優れた波形として、図４の破線で示されるような放物線状の波形を用いてもよい。ＲＣＲＯ波形は、同じフィルタを２回（受信と送信で１回ずつ）かけた場合に、コサインロールオフと言われる隣接する符号で符号間干渉がほぼ無くなる点で優れており、様々な通信で用いられている。しかし、本願発明は周波数ホッピング通信に適用される発明であり、隣の符号（シンボル）は異なる周波数にいる。したがって、隣接シンボルの符号間干渉を考慮することなく波形を選択できる。放物線状の波形は、ＲＣＲＯより若干シンボルの面積を削るが、そのスペクトルは図５の破線で示すように、裾の広がりが非常に小さく、隣接トーンや、帯域外へのスプリアスが小さくできる。若干シンボルの面積を多く削る分、変調精度が落ちる懸念があるが、実際には、図６の×印で示されるようにＲＣＲＯとその変調位相は殆ど変わらない、優れた波形である。
【００３０】
このように放物線状の包絡線を用いることにより、変調精度を落とすことなく、よりコンパクトなスペクトルを実現できる。
【００３１】
高速周波数ホッピングを実現するためのローカル信号は高速スイッチと加算器を使用して、図７のようにも実現できる。
【００３２】
図７は図１に示したＯＦＤＭ送信機の変形例である。ＯＦＤＭシンボルを生成する部分は図１と同様であるため説明を省略する。周波数シンセサイザ１から基準となる周波数の正弦波が出力される。これがローカル信号発生器２に入力されて、周波数ホッピングの各周波数に対応する中間周波数が生成される。ローカル信号発生器２内では、周波数シンセサイザ１からの入力はホッピング周波数の個数に分岐されて（図では４系統に分岐されて）、それぞれローカル信号生成系３−ｘ（ｘ＝１〜４）で異なる中間周波数が生成される。これらはそれぞれスイッチ１６−ｘに入力する。スイッチ１６−ｘはタイミング信号生成部１７によって、そのオンオフの時刻が制御されており、複数の（図では４つの）系統の内、同一時刻では一つのみがオンとなるように制御されている。スイッチ１６−ｘにはそれぞれ波形制御器１８−ｘが内蔵されている。なお、図1の例と同様に、タイミング信号生成部１７に対しては、その通信端末が所属するネットワークに同期したタイミングが供給されている。
【００３３】
波形制御器１８−ｘはスイッチ１６−ｘがオンとなりローカル信号を出力する際の出力波形の包絡線を決定制御する。波形制御器１８−ｘはスイッチ１６−ｘの出力波形が所望の形状となるように、その立ち上がり立ち下がりを決定する。複数のスイッチ１６−ｘの出力は加算器１５に入力され加算される。スイッチ１６−ｘを通過した段階で、１つの時刻に１つのローカル中間周波数しか出力されていないため、加算するだけで周波数ホッピングローカル中間周波数信号を得ることができる。
【００３４】
加算器１５の出力は、周波数シンセサイザ１の出力で周波数変換器５によって周波数変換され、最終的なＲＦ信号の周波数に変換される。周波数変換器５の出力は、ＯＦＤＭ変調器６によって生成されたベースバンドシンボルを、アップコンバータ１２によってＲＦ帯にアップコンバートする。これが適宜、フィルタ、パワーアンプなどを含むアナログフロントエンド部、アンテナ部（図示せず）を介して送信機から出力される。
【００３５】
このようにすると、スイッチのオンオフ波形を制御するだけの簡易な構成で、スプリアスの小さい立ち上がり、立ち下がりが実現できる。なお、スイッチを用いる方法の優れた点として、シンボル間のガードタイムにも信号を出すことで、よりなだらかな波形でコンパクトなスペクトルを、変調精度を落とすことなく実現できることである。図４のような包絡線を実現しようとした場合、図４では横軸の両端が０まで落ちきっていないことがわかるが、実際にはガードタイムに入る点で急激に０に落ちる。これがスペクトルの裾野を広げる一要因となる。セレクタを使用する図１のような方法においては、ガードタイムは絶対に必要な切り替え時間であり、削ることはできない。しかし、図７のようなスイッチを用いる方法では、ガードタイムを限りなく０に近づけることが可能である。この場合、図４の波形の両端をゆっくり０に近づけ、かつ、ＯＦＤＭ変調器の方でサイクリックプリフィックスを長くする、すなわち、ガードタイムの部分もサイクリックプリフィックスを出力し続けることによって、シンボルの時間波形をよりなだらかなものとすることが可能となって、スプリアスを減らすことが可能である。
【００３６】
なお、スイッチを用いる方法でも、その波形はＲＣＲＯや、さらには放物線状の包絡線が望ましいことは言うまでもない。
【００３７】
図７において、波形制御器１８−ｘはスイッチ１６−ｘに内蔵されている形態である。実施の形態としてはタイミング信号生成部１７で所望の波形を作っておいて、作成した所望の波形でスイッチ１６−ｘを制御する形態でも良い。このような場合、波形制御器がタイミング信号生成部１７内に一つですむ可能性があって回路規模が縮小できる。ただし、タイミング信号生成部１７からスイッチ１６−ｘまで配線が長くなる場合は、スイッチ１６−ｘに到達するまでに波形が乱れてしまう可能性があり、そのような場合、スイッチ１６−ｘの近傍で制御信号を整形しなおすことが多い。このような場合は図７のようにそれぞれのスイッチ１６−ｘが波形制御器１８−ｘを有している方が適切である。
【００３８】
同様に図１においても、波形制御器１４はセレクタ４の中ではなく、セレクタに選択のタイミングを指示するタイミング制御部（図示せず）の中にあっても良い。こちらも同様の理由でタイミング制御部とセレクタの配線が長くなる場合には、セレクタ内にあることが望ましい。
【００３９】
図１の波形制御器の具体的な構成は以下のようにすれば実現できる。図１の実施の形態ではセレクタが使用されているが、セレクタは通常、ＡＮＤ、ＯＲ等のデジタル回路で構成される。選択したい入力のルートをオンにして通過させて行くが、そのルートの最終段に、利得が可変出来る構成を用意しておく。デジタル回路は通常、全てトランジスタを飽和させて使用する、すなわち、デジタル回路に使用するトランジスタの電流をフルに流すか全く流さないで使用する。本実施の形態では、選択した中間周波数が通過するルートの最終段に、トランジスタの電流の量、すなわち利得の大きさをコントロール出来る回路を用意する。トランジスタのコレクタ（ＦＥＴならドレイン）に流れる電流がすなわち、出力振幅に対応するため、その電流量を上述のなだらかな立ち下がり、立ち上がりに対応した電流量にする。包絡線波形の詳細を問わないならば、矩形波状の選択制御信号をコンデンサや抵抗で構成される簡易な低域通過フィルタを通過させるだけでなだらかな立ち上がり、立ち下がりが得られる。より高度な波形制御を行う場合は、ＬＣＲを使用した高次の低域通過フィルタを選択制御信号に適用すればよい。また、別の方法としては、選択制御信号を受けて、デジタルバッファからなる波形テンプレートから選択制御の波形を読み込んでも良い。
【００４０】
図７の実施形態の波形制御器については、スイッチ１６−ｘがデジタル的なバッファ回路である場合は、図１の場合と同様である。スイッチ１６−ｘがアナログ的なアッテネータ回路である場合、ゲート接地のＦＥＴを中心とした回路構成が代表的である。この場合、ゲートに印加する電圧で減衰量が決定する。ゲートの印加電圧を徐々に立ち上げ／立ち下げることによって、通過するローカル信号の立ち下がり、立ち上がりをなだらかにすることが出来る。このような回路ではゲート電圧と出力振幅は線形に対応しない。したがって、大雑把になだらかな立ち上がり、立ち下がりが出来ればよいなら、ゲートに与える選択制御信号は、台形状にリニアな立ち上がり、立ち下がりを与える回路や、ＣＲによる低域通過フィルタを通した矩形波信号で良い。より高度な波形制御を行う場合は、ＦＥＴの減衰特性を考慮して、最終的に所望する波形となるように、ＬＣＲを用いた高度な低域通過フィルタを使用したり、デジタルバッファを用いた波形テンプレートを用いると良い。
【００４１】
以上述べたように本願発明では、セレクタで選択する際に、セレクタに付けられた波形制御器によって選択時の波形を決定する。セレクタから出力されるローカル信号は周波数がホップするが、切り替わりの瞬間は、一旦出力がほぼ無くなって（立ち下がり）、再び立ち上がるような形になる。その立ち下がり、立ち上がりの包絡線の形状が、出力されるローカル信号のスプリアスが抑圧されるようななだらかな波形となるよう波形制御器が決定する。このようにして立ち上がり、立ち下がりの波形が決定されたローカル信号で、ＯＦＤＭ変調器から出力された時間信号をアップコンバートすれば、出力されるＲＦ帯のＯＦＤＭシンボルはその包絡線の立ち上がり、立ち下がりが、波形制御器で決定された包絡線の形状となっている。
【００４２】
このようにすると、周波数ホッピング用のローカル信号を生成する際のセレクタの選択波形に手を加えるだけで、スプリアスの小さいＯＦＤＭ信号が得られ、簡易な構成でスペクトル広がりを緩和することが可能となる。
【００４３】
周波数ホッピング用ローカルを生成する機構は、複数のローカル生成系の各々にスイッチを設けて、その周波数を使用する時刻のみスイッチをオンする形態にしておいて、それぞれのローカル生成系の出力を加算する。このような場合も同様に、スイッチをオンするときの立ち上がり波形、オフするときの立ち下がり波形を決定するような波形制御器を用い、その立ち上がり、立ち下がりの包絡線の形状が、出力されるローカル信号のスプリアスが抑圧されるようななだらかな波形となるように制御すればよい。
【００４４】
このように周波数ホッピング用ローカルの立ち上がり、立ち下がりの望ましい波形として本願発明では、ルートコサインロールオフ、さらに望ましくは、よりコンパクトなスペクトルを有する曲線として放物線状の波形が望ましい。放物線状の波形は、ルートコサインロールオフ波形と同等の変調精度で有りながら、スペクトルはよりコンパクトになる。
【００４５】
以上本発明の実施形態について説明したが、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４６】
【図１】本発明に係るＯＦＤＭ送信機の一実施形態の構成を示すブロック図。
【図２】波形制御器付きセレクタの動作を説明するための波形図。
【図３】セレクタの望ましい出力波形の立ち上がり立ち下がりを説明するための波形図。
【図４】ルートコサインロールオフ波形（ＲＣＲＯ）および放物線を示す図。
【図５】包絡線波形のスペクトルを示し、横軸をＯＦＤＭのトーン間隔周波数を１とした周波数とし、縦軸を周波数１のパワーを１とした正規化パワーとしたグラフ。
【図６】ＯＦＤＭの各トーンをＱＰＳＫで変調し、そのシンボルに［図４］の包絡線を与え４ビット量子化した場合のＤ／Ａ変換後の各トーンの変調位相を示す図。
【図７】ＯＦＤＭ送信機の他の実施形態の構成を示すブロック図。
【符号の説明】
【００４７】
１・・・周波数シンセサイザ
２・・・ローカル信号発生器
３・・・ローカル信号生成系
４・・・セレクタ
５・・・周波数変換器
６・・・ＯＦＤＭ変調器
７・・・データ入力
８・・・エンコーダ
９・・・マッピング部
１０・・・ＩＦＦＴ部
１１・・・Ｄ／Ａ変換器
１２・・・アップコンバータ
１４，１８・・・波形制御器
１５・・・加算器
１６・・・スイッチ
１７・・・タイミング信号生成部
【図１】
2005286509.tif 000003
【図２】
2005286509.tif 000004
【図３】
2005286509.tif 000005
【図４】
2005286509.tif 000006
【図５】
2005286509.tif 000007
【図６】
2005286509.tif 000008
【図７】
2005286509.tif 000009